(57)【要約】    【課題】  ワゴン収納空間内面の傷付きを防止し、ワゴンを収納したときのワゴン前板と洗面台前面の引出しや扉などの他の面材との面一合わせが容易にできて外観を損なうことがない洗面台装置を提供する。    【解決手段】  キャビネット３の上部に備える引出し５又は扉下方のキャビネットに設けた前面開放のスペース６に出し入れ収納するワゴン１０は、前面側の前板１１とワゴン本体１２を備え、ワゴン１０をキャビネット３のスペース６に収納するときに、キャビネットのスペース６内の左右に設けたガイド部材２０にワゴン本体１２が当接して案内され所定の位置に収納されるようにした洗面台装置。    【選択図】  図１
2005224348.tif 000002
【特許請求の範囲】
【請求項１】
キャビネットの上部に引出し又は扉を備え、この引出し又は扉下方のキャビネットに設けられた前面開放のスペースにワゴンを収納する洗面台であって、上記ワゴンは前面側の前板とワゴン本体を備え、ワゴンをキャビネットの上記スペースに収納するときに、キャビネットの前記スペース内の左右に設けられたガイド部材に上記ワゴン本体が案内されて収納される洗面台装置。
【請求項２】
ガイド部材は、ワゴンを収納するスペースの入口側に傾斜部を設けてなる請求項１記載の洗面台装置。
【請求項３】
ワゴンは、ワゴン本体の上面を腰掛としたベンチ型ワゴンである請求項１又は請求項２記載の洗面台装置。
【請求項４】
ワゴン本体は、左右の側面板と、背面板と、底面板とからなる箱状の上面に開閉する蓋体と、上記底面板の下面側に取付けられた車輪を備え、前記左右の側面板及び背面板の下端は、ワゴン本体の前面側に設けられた前板の下端よりもワゴン本体を設置する床面近くに位置するように下方に突出する請求項３記載の洗面台装置。
【発明の詳細な説明】
【技術分野】
【０００１】
本発明は、ワゴンを備える洗面台装置に関する。
【背景技術】
【０００２】
洗面台のキャビネットや流し台キャビネットに設けた収納空間に、小物類の収納や食卓への食器類の移動などのためのワゴンを出し入れできるように収納する装置が知られている。（特許文献１及び特許文献２参照）。
【特許文献１】特開２００２−３４６８２号公報
【特許文献２】特開平９−５６５０１号公報
【発明の開示】
【発明が解決しようとする課題】
【０００３】
上記で述べた洗面台や流し台装置は、ワゴンをキャビネットに設けられたワゴン間口寸法よりも比較的大きい寸法の空間に単に出し入れできるように収納する構造であり、ワゴンをキャビネットの収納空間に出し入れする際、ワゴン自体でキャビネットの収納空間の内面を傷付ける心配や、ワゴンを収納した状態においては、ワゴン自体の前面側の面材とキャビネット前面に設けられる扉や引出し等の他の面材との間に比較的大きな隙間が生じて全体としての外観を損なう問題を有している。
【０００４】
さりとて、キャビネットのワゴン収納空間内面の傷付き防止のために、キャビネット側にガイドレールを、また、ワゴン側にレール等を設ける方法では、ワゴン自体を腰掛としても利用できるように意図した場合には、ワゴンの左右側面側に突出するレール等が邪魔になって、腰掛としてワゴンを使用するときの安全性に欠けるという問題が生じる。
【０００５】
本発明は、ワゴン収納空間内面の傷付きを防止し、ワゴンを収納したときのワゴン前板と洗面台前面側の引出しや扉などの他の面材との縦横の線の面一合わせも容易にできて前面側の外観を損なうことがない洗面台装置を提供するものである。
また、特に、ワゴン自体を腰掛として使用できるベンチ型ワゴンとしたときに、腰掛けたときのワゴンの傾きによる転倒が防止でき、より安全性を向上させた洗面台装置を提供する。
【課題を解決するための手段】
【０００６】
本発明は次のものに関する。
（１）キャビネットの上部に引出し又は扉を備え、この引出し又は扉下方のキャビネットに設けられた前面開放のスペースにワゴンを収納する洗面台であって、上記ワゴンは前面側の前板とワゴン本体を備え、ワゴンをキャビネットの上記スペースに収納するときに、キャビネットの前記スペース内の左右に設けられたガイド部材に上記ワゴン本体が案内されて収納される洗面台装置。
（２）ガイド部材は、ワゴンを収納するスペースの入口側に傾斜部を設けてなる上記（１）記載の洗面台装置。
（３）ワゴンは、ワゴン本体の上面を腰掛としたベンチ型ワゴンである上記（１）又は（２）記載の洗面台装置。
（４）ワゴン本体は、左右の側面板と、背面板と、底面板とからなる箱状の上面に開閉する蓋体と、上記底面板の下面側に取付けられた車輪を備え、前記左右の側面板及び背面板の下端は、ワゴン本体の前面側に設けられた前板の下端よりもワゴン本体を設置する床面近くに位置するように下方に突出する上記（３）記載の洗面台装置。
（作用）
【０００７】
ワゴンを押してキャビネットの収納スペースに収納する際、収納スペース内の左右に設けたガイド部材にワゴン本体の側面が当接してワゴン本体が収納場所に案内され、所定の収納位置に収納される。ワゴンが所定の収納場所に収納されると、ワゴンの前板両端の線とワゴンの上部に位置する引出し又は扉の両端の線とが面一となる。
【０００８】
また、左右の側面板と、背面板と、底面板とからなる箱状の上面に開閉する蓋体と、底面板の下面側に取付けられた車輪を備え、左右の側面板及び背面板の下端は、ワゴン本体の前面側に設けられた前板の下端よりもワゴン本体を設置する床面近くに位置するように下方に突出させ、上記蓋体に腰掛けられるベンチ型ワゴンとして使用することで、床面近くに位置する側面板及び背面板により、爪先等のワゴン本体下面側への入り込みを防止するとともに、腰掛けたときにワゴンが傾いてもワゴン本体の側面板及び背面板の下端が床面に当接してそれ以上の傾きを阻止し、ワゴンの転倒を防止する。
【発明の効果】
【０００９】
本発明の洗面台装置によれば、ワゴン収納空間内面側の傷付きが防止でき、ワゴンを収納したときの他の面材との縦横の面一合わせも容易で洗面台前面側の外観を損なうことがない。
また、請求項４記載の洗面台装置の場合には、ベンチ型ワゴンに腰掛けたときの傾きによるワゴンの転倒が防止される。
【発明を実施するための最良の形態】
【００１０】
本発明の洗面台装置における収納スペース内の左右に設けるガイド部材は、ワゴンを斜め方向から押し込んで収納しようとした際にもワゴンが所定の位置に容易に案内されるように、ワゴンを収納するスペースの入口側にワゴン本体を所定の位置に案内するための傾斜部を設けるようにするのが好ましい。
【００１１】
ワゴン本体の上面を腰掛としたベンチ型ワゴンの場合のワゴン本体における左右の側面板及び背面板の下端と、ワゴン本体を設置する床面との隙間は、ワゴンが傾いたときに側面板及び背面板の下端が床面に当ってそれ以上の傾きを阻止できるように、３〜５ｍｍ程度とするのが好ましい。
【００１２】
ワゴン本体の上面側には開閉できる蓋体を設けて、この蓋体を開閉してワゴン本体内を収納物の収納空間として使用できるようにし、ベンチ型ワゴンとする場合は座面となる蓋体の上面には開閉用の取っ手などが突出しないようにするのが好ましい。
【実施例】
【００１３】
以下、図１〜図４を参照しながら本発明による洗面台装置の実施例を説明する。
図１（ａ）は本発明の実施例による洗面台装置の斜視図、図１（ｂ）は図１（ａ）中のワゴン（ベンチ型ワゴン）を引き出した状態の斜視図、図２（ａ）はワゴンを引き出した状態の縦方向断面図、図２（ｂ）は洗面台キャビネット部分の水平方向断面図、図３（ａ）及び図３（ｂ）は図１及び図２中のガイド部材の平面図と側面図、図４は洗面台装置におけるワゴンの斜視図（蓋体を開いた状態）である。
【００１４】
図１及び図２において、洗面台１は、左右の側板３ａ，３ａ、仕切板３ｂ、背板３ｃ等の構成部品から前面を開放して箱状に形成したキャビネット３の上部には洗面ボール２ａを備える洗面トップ２を備え、キャビネット２の前面左側には上下２段の引出し４を、洗面ボール２ａが位置する側の前面上部には広幅の引出し５を備え、この引出し５下方のキャビネット３には前面側を開放して後述するワゴン１０を収納するためのスペース６が設けられる。なお、上記の引出し５に代えて扉を設けるようにしてもよい。
ワゴン１０を収納するキャビネット３のスペース６の奥は、図２（ａ）及び（ｂ）に示すように、洗面ボール２ａの排水口に接続して垂設される排水管、又は給水管・給湯管等の配管類の前方側を覆うように配管カバー３ｄが設けられる。
【００１５】
上記の洗面台１のキャビネット３に形成された前面開放のスペース６に出し入れできるように収納するワゴン１０は、前面側に、引出し台５における引出し前板と同じ幅寸法とした前板１１と、この後部のワゴン本体１２とを備えており、ワゴン本体１２は、図２（ａ）及び図４に示すように、左右の側面板１３，１３、背面板１４及び底面板１５等を箱状に組み付けて、上面には開閉できるように蓋体１６がアーム１８により取付けられ、底面、板１５の下面の前後には車輪１７が装着される。
なお、実施例では、ワゴン１０を腰掛としても使用できるベンチ型ワゴンとするため、ワゴン１０の蓋体１６上面までの高さを約４００ｍｍ程度の寸法とし、ワゴン１０の前輪側の車輪１７にはストッパを設け、ワゴン１０の間口寸法を約７００ｍｍとした。
【００１６】
図２（ａ）に示すように、上記ワゴン本体１２における左右の側面板１３，１３と背面板１４の下端側は、ワゴン１０の前面側に取付けられる前板１１の下端よりも下方に突出する寸法とし、側面板１３，１３及び背面板１４が床面近く（実施例では床面から３ｍｍ上方の位置）に位置するようにして、ワゴン本体１２をベンチとして使用したときの傾き時に側面板及び背面板の下端が床面に当ってそれ以上の傾きを阻止してワゴンの転倒を防止し、これによりワゴン１０の安定性を向上させ、ワゴン１０の蓋体１６に腰掛けたときのワゴン転倒、車輪部分への爪先の入り込みを防止できるようにした。
【００１７】
図２（ｂ）に示すように、ワゴン１０を収納するスペース６の左右に位置する側板３ａと仕切板３ｂの内面側には、スペース６内へのワゴン１０の収納時にワゴン本体１２の側面がスペース６内の側板３ａや仕切板３ｂの内面に当って傷付くことがなく、上部の引出し５や左側の引出し４との面一合わせして収納できるように、ガイド部材２０，２０が取付けられる。
ガイド部材２０，２０は、図３に示すように、棒状からなるガイド部２０ａ、取付座２０ｂ、埋込み脚部２０ｃを備え、ガイド部２０ａの前端側には弧状の傾斜部２０ｄが設けられており、図２（ｂ）に示すように、ガイド部材２０の取付座２０ｂをキャビネット３の側板３ａ内面と仕切板３ｄ内面とにねじでそれぞれ取付けるとともに、埋込み脚部２０ｃを側板３ａと仕切板３ｄに埋め込んで、ガイド部材２０の回転を阻止できるようにした。
図２に示すように、ワゴン１０をキャビネット３のスペース６に収納するときに、ワゴン本体１２の側面部がガイド部材２０の傾斜部２０ｄに当って所定の位置に案内され収納されるようにした。
【００１８】
図４に示すようにワゴン１０は、上面にベンチとなる開閉可能な蓋体１６をアームにより取付け、座面となる蓋体１６の上面には突出物がないように蓋体１６の前端小口側に開閉用の引き手１６ａを取付けた。
【図面の簡単な説明】
【００１９】
【図１】（ａ）は本発明による洗面台装置の斜視図、（ｂ）は洗面台装置におけるワゴン（ベンチ型ワゴン）を引き出した状態の斜視図である。
【図２】（ａ）は図１（蓋体を開けた状態）の状態の縦方向断面図、（ｂ）は洗面台キャビネット部分の水平方向断面図である。
【図３】（ａ）は図２中に示すガイド部材の詳細を示す平面図、（ｂ）はガイド部材の側面図である。
【図４】蓋体を開けた状態のワゴン（ベンチ型ワゴン）の斜視図である。
【符号の説明】
【００２０】
１  洗面台                            ２  洗面トップ
２ａ  洗面ボール                        ３  キャビネット
３ａ  側板                            ３ｂ  仕切板
３ｃ  背板                            ３ｄ  配管カバー
４  引出し                            ５  引出し
６  スペース                        １０  ワゴン（ベンチ型ワゴン）
１１  前板（扉面材）                  １２  ワゴン本体
１３  側面板                          １４  背面板
１５  底面板                          １６  蓋体
１６ａ  引き手                          １７  車輪
１８  アーム                          １９  取っ手
２０  ガイド部材                    ２０ａ  ガイド部
２０ｂ  取付座                        ２０ｃ  埋込み脚部
２０ｄ  傾斜部
【図１】
2005224348.tif 000003
【図２】
2005224348.tif 000004
【図３】
2005224348.tif 000005
【図４】
2005224348.tif 000006